(57)【要約】      （修正有）【課題】通気性が高く且つ軽量なマットレスを提供する。【解決手段】周側面部を構成する側面用側地１と表面部及び裏面部を構成する表裏面用側地２、３と積層方向の中央位置にコイルスプリング４ａを有す反発層４と反発層４の上層側にフェルト素材からなるバネ受け層５及び弾性を有する樹脂製の３次元網目様体６Ａからなる３次元網目様クッション層６とから形成されたマットレスにおいて、側面用側地１の反発層４に対向する複数の箇所には反発層４と外部との空気の流通を可能にする通気口１ａが開口されており、通気口１ａには開口寸法を保持するためのキャップ１ｂが取り付けられている。【選択図】図２
2010184103.tif 000002
【特許請求の範囲】
【請求項１】
コイルスプリングを有する反発層と、樹脂製の３次元網目様体からなる３次元網目様クッション層とが備えられているマットレス。
【請求項２】
前記反発層の一方の外層側に、前記３次元網目様クッション層が備えられているとともに、
前記反発層の他方の外層側に、弾性を有する樹脂製の中実様体からなる中実様クッション層が備えられている請求項１記載のマットレス。
【請求項３】
前記反発層の一方の外層側に、通気性を有する生地層と不織布層を備えた２層構造の表裏面用側地が備えられているとともに、
前記反発層の他方の外層側に、通気性を有する生地層と綿類層と不織布層を備えた３層構造の表裏面用側地が備えられている請求項１又は２記載のマットレス。
【請求項４】
前記反発層と前記３次元網目様クッション層との間には、３次元網目様クッション層よりも腰の強いバネ受け層が備えられ、
前記バネ受け層には、前記３次元網目様クッション層と前記反発層との間での空気の流通を可能にする通気路が形成されているとともに、
周側面部を被覆する状態で備えられた側面用側地の前記反発層に対向する箇所には、反発層と外部との空気の流通を可能にする通気口が開口形成されている請求項１〜３のいずれか１項に記載のマットレス。
【請求項５】
周側面部を被覆する状態で備えられた側面用側地の前記３次元網目様クッション層に対向する箇所には、前記３次元網目様クッション層と外部との空気の流通を可能にする通気口が開口形成されている請求項１〜４のいずれか１項に記載のマットレス。
【発明の詳細な説明】
【技術分野】
【０００１】
本発明は、一般家庭、病院や介護等の施設、或いは、バンガローやテント等において、主に寝具として使用されるマットレスに関する。
【背景技術】
【０００２】
従来のマットレスとしては、コイルスプリングを有する反発層が上下方向の中央部に備えられているとともに、ウレタン樹脂素材の中実様体からなる中実様クッション層が前記反発層の両外層側に備えられたものが知られている。
【発明の概要】
【発明が解決しようとする課題】
【０００３】
ところが、上記従来のマットレスでは、中実様クッション層の通気性が余りよくないことから、内部の細菌等の発生を抑えるために天日干し等の乾燥作業を頻繁に行わなければならない煩わしさがあった。また、使用者から発生する熱が内部にこもり易いために夏場において不快感が生じ易い問題もあった。
【０００４】
更に、ウレタン樹脂素材からなる中実様クッション層の重量が比較的大きいことから、前記の乾燥作業や施設等での交換作業における身体的負担が非常に大きい問題もあった。
【０００５】
本発明は、上述の如き実情に鑑みてなされたものであって、その主たる課題は、合理的な改良により、上記の如き問題点を効果的に解消する点にある。
【課題を解決するための手段】
【０００６】
本発明の第１特徴構成は、マットレスに係り、その特徴は、
コイルスプリングを有する反発層と、樹脂製の３次元網目様体からなる３次元網目様クッション層とが備えられている点にある。
【０００７】
上記構成によれば、樹脂製の３次元網目様体の高い通気性によって全体の通気性を大幅に高めることができる。従って、天日干し等の乾燥作業の頻度を大きく低減することができるとともに、内部に熱がこもる不具合も効果的に抑止することができる。
【０００８】
また、樹脂製の３次元網目様態が極めて比重が小さいことから、全体の重量を大幅に小さくすることができる。従って、乾燥作業や施設等での交換作業における身体的負担も効果的に低減することができる。
【０００９】
本発明の第２特徴構成は、前記反発層の一方の外層側に、前記３次元網目様クッション層が備えられているとともに、
前記反発層の他方の外層側に、弾性を有する樹脂製の中実様体からなる中実様クッション層が備えられている点にある。
【００１０】
上記構成によれば、全体としての軽量化と良好な通気性を確保しながらも、３次元網目様クッション層側の質感と、中実様クッション層側の質感との異なる質感を裏返し作業のみによって選択的に変更することができるから、使用者の好みや身体の状況等に応じた好適な質感を容易に得ることができる。
【００１１】
本発明の第３特徴構成は、前記反発層の一方の外層側に、通気性を有する生地層と不織布層を備えた２層構造の表裏面用側地が備えられているとともに、
前記反発層の他方の外層側に、通気性を有する生地層と綿類層と不織布層を備えた３層構造の表裏面用側地が備えられている点にある。
【００１２】
上記構成によれば、全体としての軽量化と良好な通気性を確保しながらも、３層構造の表裏面様側地の側の比較的硬い質感と、２層構造の表裏面用側地の側の比較的柔らかい質感との異なる質感を裏返し作業のみによって選択的に変更することができるから、使用者の好みや身体の状況等に応じた好適な質感を容易に得ることができる。
【００１３】
なお、３次元網目様クッション層と中実様クッション層を各外層側に配設する構成に本構成を採用すれば、変更可能とする質感の種別を増やすことができる。
【００１４】
本発明の第４特徴構成は、前記反発層と前記３次元網目様クッション層との間には、３次元網目様クッション層よりも腰の強いバネ受け層が備えられ、
前記バネ受け層には、前記３次元網目様クッション層と前記反発層との間での空気の流通を可能にする通気路が形成されているとともに、
周側面部を被覆する状態で備えられた側面用側地の前記反発層に対向する箇所には、反発層と外部との空気の流通を可能にする通気口が開口形成されている点にある。
【００１５】
上記構成によれば、通気性の高い３次元網目様クッション層と、バネ受け層の通気路と、多数の間隙が存在する反発層と、側面用側地の通気口とから一連の通気路を形成することができるから、前記バネ受け層による反発力（コイルスプリングの反発力）の分散作用によって心地よい質感を得ることができながらも良好な通気性を得ることができる。
【００１６】
本発明の第５特徴構成は、周側面部を被覆する状態で備えられた側面用側地の前記３次元網目様クッション層に対向する箇所には、前記３次元網目様クッション層と外部との空気の流通を可能にする通気口が開口形成されている点にある。
【００１７】
上記構成によれば、前記側面用側地に形成された通気口と通気性の高い３次元網目様クッション層とによって一連の通気路を形成することができるから、全体の通気性を一層高めることができる。
【図面の簡単な説明】
【００１８】
【図１】第１実施形態におけるマットレスの一部破断斜視図
【図２】第１実施形態におけるマットレスの横断面説明図
【図３】第２実施形態におけるマットレスの横断面説明図
【図４】第３実施形態におけるマットレスの横断面説明図
【図５】第４実施形態におけるマットレスの横断面説明図
【発明を実施するための形態】
【００１９】
［第１実施形態］
図１、図２は、一般家庭や病院や介護施設等で使用される両面仕様のマットレスを示し、１は周側面部を構成する側面用側地（外装体の一例）、２、３は表面部及び裏面部を構成する表裏面用側地（外層体の一例）であり、積層方向（上下方向）の中央位置には、コイルスプリング４ａを有する反発層４が配設されている。
【００２０】
前記反発層４の上層側（外層側の一例）には、フェルト素材からなるバネ受け層５と、弾性を有する樹脂製の３次元網目様体６Ａからなる３次元網目様クッション層６とがその順に上層側に積層されている。
【００２１】
また、前記反発層４の下層側（外層側の一例）にも、前記バネ受け層５と、前記３次元網目様クッション層６とがその順に下層側に積層されている。なお、前記バネ受け層５は、フェルト素材を圧縮することによって３次元網目様クッション層６よりも腰の強い性状に構成されている。
【００２２】
前記反発層４は、前記コイルスプリング４ａを弾性圧縮状態で収納した小型の袋体４ｂの多数個をコイルスプリング４ａの反発方向が上下方向となる姿勢で平面状に配列した状態で矩形状の大型の袋体４ｃに収納して構成されている。
【００２３】
前記小型袋体４ｂは、小さな網目を有する不織布（布帛の一例、通気性を有する素材の一例）から構成されているとともに、大型の袋体４ｃは、小型の袋体４ｂよりも大なる網目を有する不織布（布帛の一例、通気性を有する素材の一例）から構成されている。
【００２４】
前記３次元網目様体６Ａは、ポリエステル及びポリエーテル（樹脂素材の一例）から縦方向及び横方向に沿って繊維状体（図中において線で表されたもの）が網目状に連続する構造に構成されている。具体的には、前記３次元網目様体６Ａとして、東洋紡績株式会社製のブレスエアー（登録商標）を採用している。なお、３次元網目様クッション層６は、マットレスの厚み寸法が１５ｃｍ〜２５ｃｍの範囲であることに対し、約２〜３ｃｍの厚み寸法で構成されている。
【００２５】
図１中の表側（上側）に位置する一方の前記表裏面用側地２は、比較的硬い質感を有するハード仕様、具体的には、外層側の生地層２ａ（布帛層の一例）と内層側の不織布層２ｂ（布帛層の一例）との間に綿類層２ｃを挟み込んだ状態での縫製（具体的には、キルティング加工）によって３者を連結一体化した３層構造に構成されている。
【００２６】
また、図１中の裏側（下側）に位置する他方の前記表裏面用側地３は、比較的柔らかい質感を有するソフト仕様、具体的には、外層側の生地層３ａ（布帛層の一例）と内層側の不織布層３ｂ（布帛層の一例）とを縫製によって連結一体化した２層構造に構成されている。
【００２７】
そして、本マットレスは、各層４、５、６の配層作業と、側面用側地１の上端部及び下端部の夫々と前記表裏面用側地２、３の夫々の外周縁部との縫製作業等の作業を経ることによって連結一体化されている。
【００２８】
更に、前記側面用側地１の前記反発層４に対向する複数（１又は２以上の一例）の箇所には、反発層４と外部との空気の流通を可能にする通気口１ａが開口形成されている。なお、当該通気口１ａには、開口寸法を保持するためのキャップ１ｂが取り付けられている。
【００２９】
［第２実施形態］
前述の第１実施形態では、前記反発層４の両外層側に、前記３次元網目様クッション層６が備えられている場合を例に示したが、これに限られるものではない。
【００３０】
本第２実施形態では、図３に示すように、前記反発層４の上層側（一方の外層側の一例）に、前記３次元網目様クッション層６が備えられていることに対し、反発層４の下層側（他方の外層側の一例）に、弾性を有する樹脂製の中実様体７Ａからなる中実様クッション層７が備えられている。当該中実様体７Ａは、中実なウレタン樹脂（樹脂素材の一例）から構成されている。
【００３１】
また、前記表裏面用側地２、３の各々が、前記ハード仕様に構成されている。つまり、一方の前記表裏面用側地２が、外層側の生地層２ａと内層側の不織布層２ｂとの間に綿類層２ｃを挟み込んだ状態での縫製によって３者を連結一体化した３層構造に構成されているとともに、他方の前記表裏面用側地３も、外層側の生地層３ａと内層側の不織布層３ｂとの間に綿類層３ｃを挟み込んだ状態での縫製によって連結一体化した３層構造に構成されている。
【００３２】
なお、その他の構成は、前述の第１実施形態で示した構成と同様であるから、同様の構成箇所には、同一の番号を付記してその説明は省略する。
【００３３】
［第３実施形態］
本第３実施形態では、図４に示すように、前記３次元網目様クッション層６と前記反発層４との間の前記バネ受け層５に、３次元網目様クッション層６と反発層４との間での空気の流通を可能にする通気路として、バネ受け層５を上下方向で貫通する多数（１又は２以上の一例）の小孔５ａ（通気穴の一例）がバネ受け層の面方向で分散した状態で備えられている
【００３４】
なお、その他の構成は、前述の第１実施形態で示した構成と同様であるから、同様の構成箇所には、同一の番号を付記してその説明は省略する。
【００３５】
［第４実施形態］
本第４実施形態では、図５に示すように、前記側面用側地１の前記反発層４に対向する箇所に代えて側面用側地１の前記クッション層６に対向する複数（１又は２以上の一例）の箇所に、前記クッション層６と外部との空気の流通を可能にする通気口１ｂが開口形成されている。
【００３６】
なお、その他の構成は、前述の第１実施形態で示した構成と同様であるから、同様の構成箇所には、同一の番号を付記してその説明は省略する。
【００３７】
［その他の実施形態］
（１）前述の各実施形態では、表裏の両面側にクッション層が配層された両面仕様のマットレスを例に示したが、表面側のみにクッション層が配層された片面仕様のマットレスであってもよい。
【００３８】
（２）前述の各実施形態では、反発層４として、複数のコイルスプリング４ａを独立状態で配設した構造からなるものを例に示したが、比較的大きな１個のコイルスプリンからなる構造や複数のコイルスプリングを横方向で連結した構造からなるもの等であってもよい。
【００３９】
（３）側面用側地１や表裏面用側地２、３の素材等の具体的構成、或いは、各層の厚みや積層順序等の具体的構成は、使用者や使用状況等の実情に応じて適宜に変更すればよい。
【符号の説明】
【００４０】
１        側面用側地
１ａ      通気口
１ｂ      通気口
２        表裏面用側地
２ａ      生地層
２ｂ      不織布層
２ｃ      綿類層
３        表裏面用側地
３ａ      生地層
３ｂ      不織布層
４        反発層
４ａ      コイルスプリング
５        バネ受け層
５ａ      小孔（通気路）
６        ３次元網目様クッション層
６Ａ      ３次元網目様体
７        中実様クッション層
７Ａ      中実様体
【図１】
2010184103.tif 000003
【図２】
2010184103.tif 000004
【図３】
2010184103.tif 000005
【図４】
2010184103.tif 000006
【図５】
2010184103.tif 000007